(57)【要約】【課題】  ドリルビスにおける頭部の係合部に対し回転工具を容易に係合させることができると共に、回転工具の軸線をドリルビスの軸線に合わせた状態で回転駆動させることができ、かつ、部品の再利用が可能でコストの低減化が図れる足場用壁つなぎ取付ボルトの提供。【解決手段】  ドリルビス１のタップ兼用雄ねじ部１４の途中に外径が貫通孔２２より大径の弾性セットリング４を装着した状態で、タップ兼用雄ねじ部１４をその先端ドリル１３側より袋ナット２の雌ねじ部２１側から貫通孔２２に挿通して弾性セットリング３を係止壁２３における貫通孔２２の内側開口縁部に係止させて袋ナット２の雌ねじ部２１側から丸さら頭部１２が見える位置より奧に移動しないようにドリルビス１を仮止め規制した状態で、袋ナット２の貫通孔２２から突出したタップ兼用雄ねじ部１４に貫通孔２２より大径の弾性クッション４を装着することにより、ドリルビス１が抜けを阻止された状態で袋ナット２に対し予め組み付けられた構成。【選択図】      図３
2008179991.tif 000002
【特許請求の範囲】
【請求項１】
一端側に回転工具を係合可能な係合部を備えた頭部を有し他端側にドリルを先端に備え穿孔後の孔にねじ立てしながらねじ込まれるタップ兼用雄ねじ部を有したドリルビスと、
一端側に前記頭部より大径で足場用壁つなぎの雄ねじ部を螺着させる雌ねじ部を有し他端側に該雌ねじ部より小径で前記タップ兼用雄ねじ部を遊通可能な貫通孔を有した袋ナットと、が備えられ、
前記ドリルビスのタップ兼用雄ねじ部の途中に外径が前記貫通孔より大径の弾性セットリングを装着した状態で前記タップ兼用雄ねじ部をその先端ドリル側より前記袋ナットの雌ねじ部側から貫通孔に挿通して前記弾性セットリングを前記貫通孔の内側開口縁部に係止させることにより前記袋ナットの雌ねじ部側から前記頭部が見える位置より奧に移動しないように前記ドリルビスが仮止め規制され、
前記袋ナットの貫通孔から突出した前記タップ兼用雄ねじ部に前記貫通孔より大径の弾性クッションを装着することにより前記ドリルビスが抜けを阻止された状態で前記袋ナットに対し予め組み付けられていることを特徴とする足場用壁つなぎ取付ボルト。
【請求項２】
前記頭部の最大外形部が前記袋ナットにおける雌ねじ部の開口端部より外部に突出しない範囲で前記袋ナットの雌ねじ部側から前記頭部が見える位置より奧に移動しないように前記ドリルビスが仮止め規制されていることを特徴とする請求項１記載の足場用壁つなぎ取付ボルト。
【請求項３】
前記ドリルビスの頭部が丸さら頭部で構成されていることを特徴とする請求項１または２に記載の足場用壁つなぎ取付ボルト。
【発明の詳細な説明】
【技術分野】
【０００１】
本発明は、足場用壁つなぎ取付ボルトに関する。
【背景技術】
【０００２】
従来、足場用壁つなぎ取付ボルトとしては、ねじ軸部の一端に外壁材を貫通するドリル部又は木ねじ部を有し、他端に回転工具の係合部を設けた頭部を有するドリルビスと、長ナットとで構成され、該長ナットは端部に内径がドリルビスの頭部よりやや大径の円筒部を有していて、該円筒部にドリルビスの頭部を嵌合したのち、円筒部の端縁を頭部の座面側にかしめ、かしめ部の内端縁を頭部側に起立させて軸部を囲繞する環状案内部が形成され、該環状案内部と軸部の首下部分との間に遊隙を設けることによって、長ナットが頭部に遊動自在に結合され、長ナットのねじ孔を通じて係合部に係合する回転工具が挿入可能に構成されたものが知られている（例えば、特許文献１参照。）。
【特許文献１】特開平６−５７９４２号公報
【発明の開示】
【発明が解決しようとする課題】
【０００３】
しかしながら、従来例の足場用壁つなぎ取付ボルトにあっては、上述のように、ドリルビスの頭部が長ナットにおけるねじ孔の奧側に遊動自在に結合された構造であるため、以下に述べるような問題があった。
【０００４】
即ち、回転工具でドリルビスを回転させるには、回転工具を長ナットのねじ孔に深く差し込んでねじ孔の奧に隠れたドリルビスにおける頭部の係合部に係合させる必要があるため、初期係合作業が困難である。
【０００５】
また、ドリルビスを効率良く回転させるためには、回転工具の軸線をドリルビスの軸線に合わせる必要があるが、回転工具が長ナットのねじ孔内に深く差し込まれ、長ナットはドリルビスの頭部に対し遊動自在であるため、回転工具の軸線をドリルビスの軸線に合わせた状態で回転駆動させることが困難である。
【０００６】
また、使用によりドリルビスの先端ドリルが摩耗したり刃こぼれした場合には、長ナットとドリルビスが分離不能に結合されていて長ナットの再利用ができないため、全体を廃棄処分にするしかなく、コスト面で問題がある。
【０００７】
本発明の解決しようとする課題は、ドリルビスにおける頭部の係合部に対し回転工具を容易に係合させることができると共に、回転工具の軸線をドリルビスの軸線に合わせた状態で回転駆動させることができ、かつ、部品の再利用が可能でコストの低減化が図れる足場用壁つなぎ取付ボルトを提供することにある。
【課題を解決するための手段】
【０００８】
上記課題を解決するため請求項１記載の足場用壁つなぎ取付ボルトは、一端側に回転工具を係合可能な係合部を備えた頭部を有し他端側にドリルを先端に備え穿孔後の孔にねじ立てしながらねじ込まれるタップ兼用雄ねじ部を有したドリルビスと、一端側に前記頭部より大径で足場用壁つなぎの雄ねじ部を螺着させる雌ねじ部を有し他端側に該雌ねじ部より小径で前記タップ兼用雄ねじ部を遊通可能な貫通孔を有した袋ナットと、が備えられ、前記ドリルビスのタップ兼用雄ねじ部の途中に外径が前記貫通孔より大径の弾性セットリングを装着した状態で前記タップ兼用雄ねじ部をその先端ドリル側より前記袋ナットの雌ねじ部側から貫通孔に挿通して前記弾性セットリングを前記貫通孔の内側開口縁部に係止させることにより前記袋ナットの雌ねじ部側から前記頭部が見える位置より奧に移動しないように前記ドリルビスが仮止め規制され、前記袋ナットの貫通孔から突出した前記タップ兼用雄ねじ部に前記貫通孔より大径の弾性クッションを装着することにより前記ドリルビスが抜けを阻止された状態で前記袋ナットに対し予め組み付けられていることを特徴とする手段とした。
【０００９】
請求項２に記載の足場用壁つなぎ取付ボルトは、請求項１に記載の足場用壁つなぎ取付ボルトにおいて、前記頭部の最大外形部が前記袋ナットにおける雌ねじ部の開口端部より外部に突出しない範囲で前記袋ナットの雌ねじ部側から前記頭部が見える位置より奧に移動しないように前記ドリルビスが仮止め規制されていることを特徴とする手段とした。
【００１０】
請求項３に記載の足場用壁つなぎ取付ボルトは、請求項１または２に記載の足場用壁つなぎ取付ボルトにおいて、前記ドリルビスの頭部が丸さら頭部で構成されていることを特徴とする手段とした。
【発明の効果】
【００１１】
請求項１記載の足場用壁つなぎ取付ボルトでは、上述のように、ドリルビスのタップ兼用雄ねじ部の途中に外径が貫通孔より大径の弾性セットリングを装着した状態でタップ兼用雄ねじ部をその先端ドリル側より袋ナットの雌ねじ部側から貫通孔に挿通して弾性セットリングを貫通孔の内側開口縁部に係止させることにより袋ナットの雌ねじ部側から頭部が見える位置より奧に移動しないようにドリルビスが仮止め規制され、袋ナットの貫通孔から突出したタップ兼用雄ねじ部に貫通孔より大径の弾性クッションを装着することによりドリルビスが抜けを阻止された状態で袋ナットに対し予め組み付けられている構成としたことで、回転工具でドリルビスを回転させる際に、袋ナットの雌ねじ部側から頭部が見える状態になっているため、頭部の係合部に対し回転工具を容易に係合させることができると共に、回転工具の軸線をドリルビスの軸線に合わせた状態で回転駆動させることができるようになる。
【００１２】
従って、作業性を高めることができるようになるという効果が得られる。
【００１３】
また、袋ナットとドリルビスは互いに分離可能であるため、使用によりドリルビスの先端ドリルが摩耗したり刃こぼれした場合には、袋ナットの再利用が可能で、コストの低減化が図れるようになる。
【００１４】
請求項２に記載の足場用壁つなぎ取付ボルトでは、上述のように、頭部の最大外形部が袋ナットにおける雌ねじ部の開口端部より外部に突出しない範囲で袋ナットの雌ねじ部側から頭部が見える位置より奧に移動しないようにドリルビスが仮止め規制されることにより、ドリルビスに対する袋ナットの傾動が規制された状態になっているため、頭部の係合部に対する回転工具の係合操作やドリルビスの回転操作の際に、足場用壁つなぎ取付ボルトを安定した状態に保持させることができるようになる。
【００１５】
従って、作業性をさらに高めることができるようになるという効果が得られる。
【００１６】
請求項３に記載の足場用壁つなぎ取付ボルトでは、上述のように、ドリルビスの頭部が丸さら頭部で構成されることにより、ドリルビスの頭部に対する袋ナットの揺動がスムーズに行えるようになる。
【００１７】
また、丸さら頭部は回転工具の係合部を深く形成することができるため、頭部に対する回転工具の係合強度を高めることができるようになる。
【発明を実施するための最良の形態】
【００１８】
以下にこの発明の実施例を図面に基づいて説明する。
【実施例１】
【００１９】
この実施例の足場用壁つなぎ取付ボルトは、請求項１〜３に記載の発明に対応する。
【００２０】
まず、この実施例の足場用壁つなぎ取付ボルトを図面に基づいて説明する。
【００２１】
図１はこの実施例の足場用壁つなぎ取付ボルトを示す正面図、図２は実施例の足場用壁つなぎ取付ボルトを示す側面図、図３は実施例の足場用壁つなぎ取付ボルトを示す断面図、図４、５は実施例の足場用壁つなぎ取付ボルトの取り付け作業工程説明図である。
【００２２】
この足場用壁つなぎ取付ボルトは、ドリルビス１と、袋ナット２と、弾性セットリング３と、弾性クッション４と、を主な構成として備えている。
【００２３】
さらに詳述すると、上記ドリルビス１は、その一端側にプラスドライバー（回転工具）５を係合可能なプラス状係合部１１を備えた丸さら頭部１２を有し、他端側にはドリル１３を先端に備え穿孔後の孔７にねじ立てしながらねじ込まれるタップ兼用雄ねじ部１４を有する構成になっている。
【００２４】
また、上記袋ナット２は、外形が六角の長ナット状で、その一端側軸心部に丸さら頭部１２より大径で足場用壁つなぎ６の雄ねじ部６１を螺着させる雌ねじ部２１を備え、他端側には該雌ねじ部２１より小径でタップ兼用雄ねじ部１４を遊通可能な貫通孔２２を有する係止壁２３を備えた構成になっている。
【００２５】
そして、ドリルビス１のタップ兼用雄ねじ部１４の途中に外径が貫通孔２２より大径の上記弾性セットリング４を装着した状態で、タップ兼用雄ねじ部１４をその先端ドリル１３側より袋ナット２の雌ねじ部２１側から貫通孔２２に挿通して弾性セットリング３を係止壁２３における貫通孔２２の内側開口縁部に係止させることにより、丸さら頭部１２の最大外形部が袋ナット２における雌ねじ部２１の開口端部より外部に突出しない範囲で袋ナット２の雌ねじ部２１側から丸さら頭部１２が見える位置より奧に移動しないようにドリルビス１を仮止め規制した状態で、袋ナット２の貫通孔２２から突出したタップ兼用雄ねじ部１４に貫通孔２２より大径の上記弾性クッション４を装着することにより、ドリルビス１が抜けを阻止された状態で袋ナット２に対し予め組み付けられた構成となっている。
【００２６】
次に、この実施例の作用・効果を説明する。
【００２７】
まず、この実施例の足場用壁つなぎ取付ボルトの取り付け作業を、図４、５の取り付け作業工程図に基づいて説明する。
【００２８】
まず、図４（イ）に示すように、ドリルビス１を鋼板等の取付壁面Ｐに対し直交する状態に先端ドリル１３を当接させた状態で、このドリルビス１における丸さら頭部の係合部１１にプラスドライバー５を係合させる。
【００２９】
次に、このプラスドライバー５の軸線をドリルビス１の軸線に合わせた状態で、ドリルビス１を回転駆動させることにより、図４（ロ）に示すように、先端ドリル１３が取付壁面Ｐを穿孔し、タップ兼用雄ねじ部１４が穿孔後の孔７にねじ立てしながらねじ込まれていく。
【００３０】
そして、図４（ハ）に示すように、弾性クッション４が取付壁面Ｐに当接するまでタップ兼用雄ねじ部１４がねじ込まれた後は、ドリルビス１の丸さら頭部１２が袋ナット２の雌ねじ部２１内に入り込みながらねじ込まれて行き、図４（ニ）に示すように、丸さら頭部１２が弾性セットリング３を押し潰して貫通孔２２の内側開口縁部に圧接し、弾性クッション４が袋ナット２の係止壁２３外面と取付壁面Ｐとの間に挟持されて少し潰された状態で、取付壁面Ｐに対する足場用壁つなぎ取付ボルトの取り付けが完了する。
【００３１】
次に、図５に示すように、袋ナット２の雌ねじ部２１に足場用壁つなぎ６の雄ねじ部６１を十分にねじ込んで螺着させることにより、図示を省略した仮設足場と取付壁面Ｐが強固につながれた状態になる。
【００３２】
なお、袋ナット２の雌ねじ部２１に足場用壁つなぎ６の雄ねじ部６１を螺着させる際に、足場用壁つなぎ６の軸線がドリルビス１の軸線とのズレがあった場合でも、図５の鎖線で示すように袋ナット２が貫通孔２２付近を中心として傾動することで、袋ナット２の軸線ｋ１を足場用壁つなぎ６の軸線ｋ２と一致するように修正して無理なく容易に接続させることができる。
【００３３】
以上説明してきたように、この実施例の足場用壁つなぎ取付ボルトでは、弾性セットリング３と弾性クッション４により、袋ナット２とドリルビス１が、袋ナット２の雌ねじ部２１側からドリルビス１の丸さら頭部１２が見える状態に予め組み付けられた状態になっているため、プラスドライバー５でドリルビス１を回転させる際に、丸さら頭部１２の係合部１１に対しプラスドライバー５を容易に係合させることができると共に、プラスドライバー５の軸線をドリルビス１の軸線に合わせた状態で回転駆動させることができるようになる。
【００３４】
また、丸さら頭部１２の最大外形部が袋ナット２における雌ねじ部２１の開口端部より外部に突出しない範囲で袋ナット２の雌ねじ部１２側から丸さら頭部１２が見える位置より奧に移動しないようにドリルビス１が仮止め規制されることにより、ドリルビス１に対する袋ナット２の傾動が規制された状態になっているため、丸さら頭部１２の係合部１１に対するプラスドライバー５の係合操作やドリルビス１の回転操作の際に、足場用壁つなぎ取付ボルトを安定した状態に保持させることができるようになる。
【００３５】
従って、作業性を高めることができるようになるという効果が得られる。
【００３６】
また、袋ナット２とドリルビス１は互いに分離可能であるため、使用によりドリルビス１の先端ドリル１３が摩耗したり刃こぼれした場合には、袋ナット２の再利用が可能で、コストの低減化が図れるようになる。
【００３７】
また、ドリルビス１の頭部が丸さら頭部１２で構成されることにより、ドリルビス１の丸さら頭部１２に対する袋ナット２の揺動がスムーズに行えるようになる。
【００３８】
また、丸さら頭部１２はプラスドライバー５の係合部１１を深く形成することができるため、丸さら頭部１２に対するプラスドライバー５の係合強度を高めることができるようになる。
【００３９】
以上本実施例を説明してきたが、本発明は上述の実施例に限られるものではなく、本発明の要旨を逸脱しない範囲の設計変更等があっても、本発明に含まれる。
【００４０】
例えば、実施例では、ドリルビス１の頭部として回転工具としてプラスドライバー５を用いる場合のプラス状係合部１１を備えた丸さら頭部１２を例示したが、頭部や係合部の形状は任意である。
【００４１】
また、ドリルビス１の長さは任意である。
【図面の簡単な説明】
【００４２】
【図１】実施例の足場用壁つなぎ取付ボルトを示す正面図である。
【図２】実施例の足場用壁つなぎ取付ボルトを示す側面図である。
【図３】実施例の足場用壁つなぎ取付ボルトを示す断面図である。
【図４】実施例の足場用壁つなぎ取付ボルトの取り付け作業工程説明図である。
【図５】実施例の足場用壁つなぎ取付ボルトの取り付け作業工程説明図である。
【符号の説明】
【００４３】
Ｐ  取付壁面
ｋ１  袋ナットの軸線
ｋ２  足場用壁つなぎの軸線
１  ドリルビス
１１  係合部
１２  丸さら頭部
１３  ドリル
１４  タップ兼用雄ねじ部
２  袋ナット
２１  雌ねじ部
２２  貫通孔
２３  係止壁
３  弾性セットリング
４  弾性クッション
５  プラスドライバー（回転工具）
６  足場用壁つなぎ
６１  雄ねじ部
７  穿孔後の孔
【図１】
2008179991.tif 000003
【図２】
2008179991.tif 000004
【図３】
2008179991.tif 000005
【図４】
2008179991.tif 000006
【図５】
2008179991.tif 000007